(57)【特許請求の範囲】
【請求項１】
装置本体に設けられた指認証用のセンサと、
主電源がオフの状態で、上記センサに指が接近または接触したことを検出する指検出手段と、
この指検出手段からの指検出信号を受けて上記主電源をオン状態にしてシステムの起動処理を実行するシステム起動手段と、
このシステム起動手段によるシステムの起動処理中に、上記センサを通じて読み取れられる被認証者の指の特徴情報に基づいて所定の指照合処理を行う指照合手段と、
この指照合手段によって本人でないと判定された場合に直ちにシステムの起動処理を中断する起動制御手段と
を具備したことを特徴とする個人認証機能付き情報処理装置。
【請求項２】
上記センサは、被認証者の指の長手方向に沿って所定間隔で配設された複数の電極を有し、これらの電極と指との間に生じる電気容量によって指の接近または接触を検出すると共に、指のパターンデータを特徴情報として読み取るように構成されていることを特徴とする請求項１記載の個人認証機能付き情報処理装置。
【請求項３】
上記指検出手段は、主電源がオフの状態で、上記センサの各電極を一定間隔で駆動するのに必要な最低限の電力供給を受けて指検出動作を行うことを特徴とする請求項２記載の個人認証機能付き情報処理装置。
【請求項４】
主電源がオフの状態で、装置本体に設けられた指認証用のセンサに指が接近または接触したことを検出し、
その指検出信号を受けて上記主電源をオン状態にしてシステムの起動処理を実行し、
このシステムの起動処理中に、上記センサを通じて読み取れられる被認証者の指の特徴情報に基づいて所定の指照合処理を行い、
本人でないと判定された場合に直ちにシステムの起動処理を中断することを特徴とするシステムの起動方法。
【発明の詳細な説明】
【０００１】
【発明の属する技術分野】
本発明は、個人の指の凹凸パターンを特徴情報として検出し、その指の凹凸パターンに基づいて個人認証を行う個人認証機能付き情報処理装置と、この情報処理装置に用いられるシステム起動方法に関する。
【０００２】
【従来の技術】
近年のパーソナルコンピュータ（以下、ＰＣと称す）の普及により、各個人が自分のＰＣを使用して各種の業務を行うようになってきた。これに伴い、例えばＰＣに住所録やスケジュールなどの個人情報を記録するようになり、そのためＰＣ本体に対するセキュリティの確保も製品を提供する上で重要な課題となってきている。
【０００３】
ＰＣ本体にセキュリティを施す手段としては、ＰＣ本体に個人認証の仕組みを設けるものがもっとも多い。現状では、パスワードなどのソフトウェアによるセキュリティを用いるのが一般的ではあるが、パスワードを忘れてしまうなどの事故も少なくない。このため、個人の指の特徴情報を用いた個人認証方式が注目されている。
【０００４】
個人の指の特徴情報を用いた個人認証方式としては、例えば特願平７−１６８９３０号公報（以下、文献１と称す）や特願平９−０６８５５０号公報（以下、文献２と称す）、特願平９−０７６７７６号公報（以下、文献３と称す）などに開示されているように、平行に設置された複数の線状電極によって、人間の指（間接部分を含む）の凹凸パターンを読み取り、予め登録された複数のパターンと照合することで、その指を持つ人間を識別し、機密保持などに応用するものがある。
【０００５】
文献１では、電極と指とが接触したときに生じる電極間の電気抵抗値を利用して、指の凹凸パターンを読み取る技術が開示されている。
文献２では、指と電極の間の電気容量を利用して、指の凹凸パターンを読み取る技術が開示されている。
【０００６】
文献３では、文献１の認証方式を応用した情報機器の起動方式に関する技術が開示されている。
上記文献１において、センサ部は指の方向と直角の方向に、複数の細い線状電極が多数設置されている。電極と指とは直接接触し、隣り合う電極間の抵抗値がサンプリングされて、指のパターンの入力データとなる。この場合、指の凹凸によって電極と指との接触圧が違うため、それぞれの隣り合う電極間の抵抗値が異なり、そのサンプリングデータのパターンが個人毎の指特徴を示すデータとなる。
【０００７】
また、予め各ユーザの指パターンを登録しておき、入力された指パターンと登録パターンとを照合し、入力パターンに近いものが登録パターンの中にあれば、その登録した人の指であると判定する。
【０００８】
上記文献２において、センサ部は指の方向と直角の方向に、複数の細い線状電極が多数設置されている。電極の上には絶縁シートが設置されており、それぞれの電極と指との間の電気容量がサンプリングされて、指のパターンの入力データとなる。以後の照合方法は上記文献１と同様である。
【０００９】
上記文献３において、バックアップ電源によって指パターンの入力部、認証制御部などに電源が供給される。その際、システムの起動前に指照合演算処理を行い、照合に合格した場合にシステムを起動する。
【００１０】
【発明が解決しようとする課題】
上記したような個人の指の特徴情報を用いた個人認証方式では、指パターンの入力部、認証制御部など、指認証動作に必要な部分に対する電源供給は、すべてシステムの主電源とは別のバックアップ電源によってなされていた。このため、ある程度容量の大きなバックアップ電源が必要となり、バックアップ電源の電力消費も大きかった。
【００１１】
なお、上記文献３では、バックアップ電源として、内蔵の時計用の電源を用いる例も開示されているが、いずれにしても、システムの主電源とは別のバックアップ電源で指認証動作を行う必要があり、電力消費が大きいといった問題がある。
【００１２】
また、従来、指認証制御部（指照合演算部）をシステムの主制御装置とは別の制御回路として構成し、これをバックアップ電源で駆動していたため、バックアップ電源の電力消費が大きいだけでなく、構成部品の増加によりコストがかかるなどの問題もあった。
【００１３】
本発明は上記の課題を解決するためになされたもので、個人の指の特徴情報を用いた個人認証方式において、システムオフ時の消費電力を抑えて指照合処理を行うことができ、また、指照合に必要な構成部品を削減してコストの低減化を図ることのできる個人認証機能付き情報処理装置及びこの情報処理装置に用いられるシステム起動方法を提供することを目的とする。
【００１４】
【課題を解決するための手段】
本発明の情報処理装置は、装置本体に設けられた指認証用のセンサと、主電源がオフの状態で、上記センサに指が接近または接触したことを検出する指検出手段と、この指検出手段からの指検出信号を受けて上記主電源をオン状態にしてシステムの起動処理を実行するシステム起動手段と、このシステム起動手段によるシステムの起動処理中に、上記センサを通じて読み取れられる被認証者の指の特徴情報に基づいて所定の指照合処理を行う指照合手段と、この指照合手段によって本人でないと判定された場合に直ちにシステムの起動処理を中断する起動制御手段とを具備して構成される。
【００１５】
このような構成によれば、指認証用のセンサが電源スイッチとしての役割をなし、このセンサによって指の接近または接触が検出されたときにシステムが起動され（主電源が供給され）、そのシステム起動の下で指照合処理が実行される。したがって、システムオフ時の消費電力を抑えて指照合処理を行うことができる。また、指照合処理をシステム側で行うことで、指照合に必要な構成部品を削減してコストの低減化を図ることができる。
【００１９】
【発明の実施の形態】
以下、図面を参照して本発明の一実施形態を説明する。
図１は本発明の一実施形態に係る個人認証機能付き情報処理装置のシステム構成を示すブロック図である。なお、本装置は、例えば磁気ディスク等の記録媒体に記録されたプログラムを読み込み、このプログラムによって動作が制御されるコンピュータによって実現される。
【００２０】
図１において、ＣＰＵ１１はプログラムの起動により動作し、本装置全体の制御を行うものである。このＣＰＵ１１には、システムバス１０を介してメモリ等の各種のデバイスが接続されている。ＤＲＡＭ１２は、主メモリとして使用されるリード／ライト可能なメモリであり、プログラムなど、本装置の動作に必要な各種の情報が格納される。
【００２１】
ＬＣＤ（液晶ディスプレイ）１３は、本装置の表示装置として設けられているものであり、データの表示を行う。ＬＣＤコントローラ１４は、ＶＲＡＭ１５の内容をＬＣＤ１３に表示するための表示制御を行う。ＶＲＡＭ１５は、ＬＣＤ１３に表示する内容を保持するためのメモリである。
【００２２】
キーボード１６およびマウス１７は、本装置の入力装置として設けられているものであり、データの入力やファンクションの指示を行う。ＨＤＤ（ハードディスク装置）１８は、本装置の補助記憶装置として用いられるものであり、アプリケーションプログラムやファイルなど、各種の情報を保持している。
【００２３】
以上は、一般的なＰＣの構成と同様であり、その詳細な構成については説明を省略する。
ここで、本装置は、指の凹凸パターンを個人の特徴情報として検出し、その凹凸パターンに基づいて個人認証を行う機能を備えている。センサ１９は、この指認証を行うためのものであり、シート状で透明な材料で形成され、ＬＣＤ１３の表示画面上に重ねて配置されている。センサ制御回路２０は、センサ１９の駆動制御と信号処理を行う。このセンサ制御回路２０は、指検出回路も兼ねており、指がセンサ１９に接近または接触したことを検出する回路でもある。
【００２４】
また、本装置には、バッテリ１が設けられており、システムオフ時であっても、このバッテリ１の電源が電源制御回路２を介してセンサ制御回路２０へ供給されるようになっている。電源制御回路２は、バッテリ１あるいはＡＣ電源を駆動源として、システム各部の電源供給を制御する。
【００２５】
また、ＢＩＯＳ  ＲＯＭ３は、システムを初期起動するためのＩＰＬ（Initial Program Loader）などのプログラムを記憶している。
図２および図３にセンサ１９とセンサ制御回路２０の具体的な構成を示す。
【００２６】
図２はセンサ１９とセンサ制御回路２０の概略構成を示すブロック図、図３はセンサ１９に指を置いたときの側面図とそのときに得られる投影信号の波形図である。
【００２７】
センサ１９は、被認証者の指３０の長手方向に沿って所定間隔で配設された複数の出力電極２１と、被認証者の指３０の長手方向に沿った端部に配設された単一の入力電極２２とからなる。出力電極２１と入力電極２２は、ＩＴＯなどの透明な材質で形成されている。
【００２８】
センサ制御回路２０は、スイッチ回路２３、発振器２４、タイミングパルス発生器２５、検波回路２６、Ａ／Ｄ変換器２７、終端抵抗２８によって構成されている。
【００２９】
スイッチ回路２３は、出力電極２１と発振器２４との間に介在されており、タイミングパルス発生器２５から出力されるタイミングパルス信号によってオン／オフ動作し、各出力電極２１を順次切り替える。発振器２４は、出力電極２１に印加する交流信号を発生する。
【００３０】
タイミングパルス発生器２５は、システムバス１０を介して入力される制御信号に基づいてスイッチ回路２３の切り替えと、Ａ／Ｄ変換器２７の標本化タイミングを制御するためのパルス信号を発生する。この場合、例えばパルス信号の立ち下がりでスイッチ回路２３の切り替えが行われ、立ち上がりでＡ／Ｄ変換器２７のＡ／Ｄ変換が行われるものとする。
【００３１】
検波回路２６は、入力電極２２に接続されており、この入力電極２２で検出された信号を増幅する増幅回路とその信号から必要な信号成分を取り出すフィルタ回路からなる。Ａ／Ｄ変換器２７は、タイミングパルス発生器２５から発生されるパルス信号に基づいて、検波回路２６によって得られたアナログの信号をデジタル信号に変換してシステムバス１０に出力する。
【００３２】
また、入力電極２２は終端抵抗２８を介して接地されており、この終端抵抗２８は入力電極２２に生じる信号を電圧に変換する。
ここで、本実施形態において、図３に示すように、センサ１９はＬＣＤ１３の表示画面上の一部または全面に重ねて設置されている。この場合、センサ１９は透明な材質（ＩＴＯ）で形成されているため、下のＬＣＤ１３の視認性に問題はない。
【００３３】
センサ１９を構成する出力電極２１および入力電極２２は電気的絶縁体としての絶縁体薄膜３１、３２で被覆されている。この絶縁体薄膜３１、３２も透明な材質（ＩＴＯ）で形成されており、これで出力電極２１および入力電極２２を被覆することで、出力電極２１および入力電極２２と指３０とは静電結合によってのみ接続されることになり、接触抵抗が無限大となる。したがって、発汗などの指３０の表面の状態変化に影響されずに、より安定した投影信号Ｖ(i) を得ることができる。
【００３４】
図２および図３の動作原理を以下に説明する。
図中の出力電極２１は細い線状の電極アレイで、電極間隔は１／１０ｍｍ〜１／３ｍｍ程度とする。出力電極２１の数、すなわち、線状電極アレイの指３０の長手方向の長さは、指３０の先端から第２間接を完全に含む長さとする。入力電極２２はやや広い帯状の電極であり、指３０の長手方向の長さが出力電極２１よりも長く形成されている。
【００３５】
このような構成において、出力電極２１および入力電極２２に指３０を電極配列方向に対して直交方向に押し付ける。このとき、スイッチ回路２３を指先から指元方向へ順次切り替えて、発振器２４の信号を出力電極２１に印加する。出力電極２１に印加された信号は、出力電極２１と指３０との間の電気容量を通して指３０に伝わる。指３０は電気的には比較的抵抗値の小さい抵抗体と見なされるので、指３０に伝わった信号は指３０と入力電極２２との容量を通して入力電極２２に伝わる。
【００３６】
この入力電極２２に伝わった信号を終端抵抗２８で電圧に変換し、検波回路２６のバンドパスフィルタで必要な信号成分（元の信号の周波数成分）を取り出し、Ａ／Ｄ変換器２７にてデジタル信号に変換する。
【００３７】
この場合、出力電極２１と指３０との間の容量の大きさは出力電極２１と指３０との間隔によって異なり、間隔が大きいほど、容量が小さくなって出力電極２１から指３０に伝わる信号が小さくなり、Ａ／Ｄ変換器２７が出力するデジタル値も小さくなる。
【００３８】
スイッチ回路２３による出力電極２１の走査に従ったタイミングでＡ／Ｄ変換器２７の出力するデジタル値を取り込めば、図３の上部に示すような、出力電極２１と指３０との間隔に応じてレベルが変化する信号Ｖ(i) が得られる。この信号Ｖ(i) は、被認証者の指３０の凹凸パターンに応じて変化する信号パターンであり、各個人で異なったパターンを示すため、個人認証データとして利用することができる。
【００３９】
このようなセンサ１９を用いた個人認証処理を以下に説明する。
（ａ）登録時
図４は登録時の個人認証処理を示すフローチャートである。
【００４０】
登録モードが開始されると、センサ１９による信号検出が行われ（ステップＡ１１）、上記のようにして取り込まれた被認証者の指の特徴を表す信号Ｖ(i) が登録パターンとしてＨＤＤ１８に格納される（ステップＡ１２）。
【００４１】
（ｂ）照合時
図５は照合時の個人認証処理を示すフローチャートである。
照合モードが開始されると、センサ１９による信号検出が行われ（ステップＢ１１）、新たに取り込まれた被認証者の指の特徴を表す信号Ｖ(i) がＨＤＤ１８に格納された登録パターンと照合される（ステップＢ１２）。その結果、登録パターンとの差が一定の基準値より小さければ（ステップＢ１３のＹｅｓ）、本人であると判定する（ステップＢ１４）。また、登録パターンとの差が一定の基準値以上であれば（ステップＢ１３のＮｏ）、本人でないと判定する（ステップＢ１５）。
【００４２】
なお、入力パターンと辞書パターンとの差の計算方法については公知であるため、ここでは具体的な説明を省略する。
次に、図２および図３を用いた指接近・接触検出動作について説明する。
【００４３】
システムオフ時には、一定期間毎（例えば２秒間隔）に発振器２４が動作する。このとき、スイッチ回路２３により、センサ１９の持つ複数の出力電極２１のうちの所定の数本の電極に同時に発振器２４からの信号が印加される。
【００４４】
ここで、指３０がセンサ１９に接近あるいは接触すると、上記信号が指３０と入力電極２２を通して終端抵抗２８に伝わり、電圧として現れる。その電圧信号を検波回路２６によって検波し、その出力レベルが一定レベル以上であるとき、Ａ／Ｄ変換器２７から指検出信号が出力される。
【００４５】
このようにして、システムオフ時において、指３０がセンサ１９に接近あるいは接触したことが検出される。なお、センサ制御回路２０には、システムオフ時であっても、電源制御回路２からバッテリ１の電源が供給されているが、上記のように一定期間毎にセンサ電極を駆動して指検出動作を行っているので、非動作期間の消費電力を抑えることができる。
【００４６】
次に、センサ１９をＰＣの電源スイッチとして利用した場合でのシステム起動方法について説明する。
図６はシステム起動処理を示すフローチャートである。
【００４７】
システムオフ時において、センサ制御回路２０にはバッテリ１の電源が供給されており、常に指の接近あるいは接触を検出できる状態にある。また、指認証制御部（指照合演算部）はシステム側に設けられており、この部分はシステムオフ時には起動されていない。
【００４８】
ここで、センサ１９によって指の接近あるいは接触が検出されると（ステップＣ１１のＹｅｓ）、センサ制御回路２０から電源制御回路２に対して指検出信号が出力される。電源制御回路２は、この指検出信号を受けて、主電源をシステム各部に供給してシステム起動状態とし、ＣＰＵ１１に対してリセット信号を出力する（ステップＣ１２）。これにより、ＣＰＵ１１は、ＢＩＯＳ  ＲＯＭ３に格納されたＩＰＬ（Initial Program Loader：ブートプログラム）を起動して、以下のような初期化処理を実行する。
【００４９】
すなわち、ＣＰＵ１１は、まず、ＤＲＡＭ制御用のメモリコントローラの初期化を行って、ＤＲＡＭ１２を使用できる状態にする（ステップＣ１３）。続いて、ＣＰＵ１１は、センサ１９およびセンサ制御回路２０を制御して、被認証者の指の凹凸パターンを読み込み、そのデータをＤＲＡＭ１２に保存する（ステップＣ１４）。
【００５０】
また、ＣＰＵ１１は、ＩＰＬでＨＤＤ１８（およびその制御回路）や、その他の周辺回路を初期化し、ＨＤＤ１８を含む周辺機器、回路を使用できる状態にする（ステップＣ１５）。
【００５１】
次に、ＣＰＵ１１は、ＩＰＬ内の指認証プログラムを実行し、ＤＲＡＭ１２に格納された被認証者の指パターンデータとＨＤＤ１８に登録された辞書パターンデータとを照合する（ステップＣ１６）。その結果、被認証者の指パターンデータと辞書パターンデータとが一定の基準値内で一致した場合には（ステップＣ１７のＹｅｓ）、ＣＰＵ１１は本人であると判定し、ＨＤＤ１８からＤＲＡＭ１２にＯＳ（Operating System）を読み込み、これを起動して後の処理を継続して実行する（ステップＣ１８）。
【００５２】
一方、被認証者の指パターンデータと辞書パターンデータとが一定の基準値内で一致しない場合には（ステップＣ１７のＮｏ）、ＣＰＵ１１は本人でないと判定し、直ちにシステム起動処理を中断し、システムオフの状態にする（ステップＣ１９）。これにより、不正者がシステムを使用することを防止することができる。なお、その際に警告メッセージを表示するなどしても良い。
【００５３】
このように、システムオフ時には、消費電力が大きい指認証制御部（指照合演算部）には電源が供給されておらず、指の接近・接触検出によりシステムが起動されたときに始めて電源が供給されて指照合処理が行われる。したがって、従来のように指認証制御部がシステムと独立して存在し、常にセンサ部と共に電源供給状態にあった場合と比べると、システムオフ時における消費電力を大幅に低減させることができる。
【００５４】
また、指認証制御部（指照合演算部）は、システム内に組み込まれているため、指認証のための特別な制御回路を別に構築する必要がなく、その分、構成部品を減らしてコストを低減できる。
【００５５】
また、システム起動のために用いられるセンサは、指認証用としての指パターンの検出電極で兼用されているため、新たにシステム起動用のセンサを設ける必要がなく、その分、コストを低減できる。
【００５６】
また、システム起動開始の早い段階でセンサによって検出される被認証者の指の特徴情報を読み込み、システム起動処理が終了した時点で当該指の特徴情報に基づく指照合処理を行っているため、例えば辞書パターンが登録されたＨＤＤ周りの初期化など、システム起動開始から実際の指照合処理が実行されるまでの時間がかかる場合でも、利用者は最初に指をセンサに触れるだけでよい。したがって、照合結果がでるまで指をセンサに置いておく必要がなくなり、操作性が向上する。
【００５７】
ところで、上記実施形態では、指照合処理をシステムブートプログラムによって実行する構成としているため、ＯＳ起動前の早い段階で指照合処理を行うことができる。したがって、利用者は照合結果を早期に知ることができ、利用者の心理的負担を軽減できる、といった利点がある。しかし、このような方法だと、予めシステムブートプログラム内に指照合プログラムを組み込んでおかなければならないため、その指照合プログラムを簡単に変更することができないなどの不具合がある。
【００５８】
このような不具合を解消するため、以下に、一般のアプリケーションプログラムと同等の形式で指照合プログラムを実現する場合のシステム起動方法について説明する。
【００５９】
図６は本発明の他の実施形態としてのシステム起動処理を示すフローチャートである。
上記実施形態と同様に、システムオフ時において、センサ制御回路２０にはバッテリ１の電源が供給されており、常に指の接近あるいは接触を検出できる状態にある。また、指認証制御部（指照合演算部）はシステム側に設けられており、この部分はシステムオフ時には起動されていない。
【００６０】
ここで、センサ１９によって指の接近あるいは接触が検出されると（ステップＤ１１のＹｅｓ）、センサ制御回路２０から電源制御回路２に対して指検出信号が出力される。電源制御回路２は、この指検出信号を受けて、主電源をシステム各部に供給してシステム起動状態とし、ＣＰＵ１１に対してリセット信号を出力する（ステップＤ１２）。これにより、ＣＰＵ１１は、ＢＩＯＳ  ＲＯＭ３に格納されたＩＰＬ（Initial Program Loader：ブートプログラム）を起動して、以下のような初期化処理を実行する。
【００６１】
すなわち、ＣＰＵ１１は、まず、ＤＲＡＭ制御用のメモリコントローラの初期化を行って、ＤＲＡＭ１２を使用できる状態にする（ステップＤ１３）。続いて、ＣＰＵ１１は、センサ１９およびセンサ制御回路２０を制御して、被認証者の指の凹凸パターンを読み込み、そのデータをＤＲＡＭ１２に保存する（ステップＤ１４）。
【００６２】
また、ＣＰＵ１１は、ＩＰＬでＨＤＤ１８（およびその制御回路）や、その他の周辺回路を初期化し、ＨＤＤ１８を含む周辺機器、回路を使用できる状態にする（ステップＤ１５）。
【００６３】
次に、ＣＰＵ１１は、ＨＤＤ１８からＤＲＡＭ１２にＯＳを読み込み、これを起動する（ステップＤ１６）。そして、このＯＳの起動時実行プログラムリストファイルに従って、ＣＰＵ１１は当該ファイル中に記述されている指認証プログラムをＨＤＤ１８からＢＩＯＳ  ＲＯＭ３に読み込む（ステップＤ１７）。
【００６４】
そして、ＣＰＵ１１は指認証プログラムを実行し、ＤＲＡＭ１２に格納された被認証者の指パターンデータとＨＤＤ１８に登録された辞書パターンデータとを照合する（ステップＤ１８）。その結果、被認証者の指パターンデータと辞書パターンデータとが一定の基準値内で一致した場合には（ステップＤ１９のＹｅｓ）、ＣＰＵ１１は本人であると判定し、そのまま後の処理を継続して実行する。
【００６５】
一方、被認証者の指パターンデータと辞書パターンデータとが一定の基準値内で一致しない場合には（ステップＤ１９のＮｏ）、ＣＰＵ１１は他人であると判断し、直ちにシステム起動処理を中断し、システムオフの状態にする（ステップＤ２０）。これにより、不正者がシステムを使用することを防止することができる。なお、その際に警告メッセージを表示するなどしても良い。
【００６６】
このように、指照合処理をＯＳの下で実行することで、一般のアプリケーションプログラムと同等の形式で指照合プログラムを実現することができる。したがって、指照合プログラムの作成や変更を容易に行うことができる。
【００６７】
なお、上記実施形態では、指と電極との容量結合を用いる指パターン検出方式において、指の接近・接触検出と指の凹凸パターンの測定を行う場合の例を示したが、例えば指と電極との接触抵抗を用いる指パターン検出方式であっても、指の接近・接触検出方法と指の凹凸パターンの測定方法が異なるが、本発明の手法を適用可能することができる。
【００６８】
また、上記実施形態では、ＬＣＤ上にセンサを設置する場合について説明したが、センサの設置位置はＬＣＤ上に限定されるものではなく、要は装置本体上で電源スイッチとして利用可能な部分であれば、どこでも良い。
また、本発明はＰＣ以外にも、個人認証が求められる他の情報処理装置にも適用することができる。
【００６９】
【発明の効果】
以上詳記したように本発明によれば、指認証用のセンサを用いて指の接近または接触を検出したときにシステムを起動し、そのシステム起動の下で指照合処理を実行するようにしたため、システムオフ時の消費電力を抑えて指照合処理を行うことができる。また、指照合処理をシステム側で行うことで、指照合に必要な構成部品を削減してコストの低減化を図ることができる。
【００７０】
また、指照合処理をシステムブートプログラムによって実行することで、ＯＳ起動前の早い段階で指照合処理を実行することができる。これにより、利用者が照合結果を早期に知ることができ、利用者の心理的負担を軽減できる。
【００７１】
また、指照合処理をＯＳによって実行することで、一般のアプリケーションプログラムと同等の形式で指照合プログラムを実現することができ、そのプログラムの作成や変更が容易となる。
【図面の簡単な説明】
【図１】本発明の一実施形態に係る個人認証機能付き情報処理装置のシステム構成を示すブロック図。
【図２】センサとセンサ制御回路の概略構成を示すブロック図。
【図３】センサに指を置いたときの側面図とそのときに得られる投影信号の波形図。
【図４】登録時の個人認証処理を示すフローチャート。
【図５】照合時の個人認証処理を示すフローチャート。
【図６】システム起動処理を示すフローチャート。
【図７】他の実施形態としてのシステム起動処理を示すフローチャート。
【符号の説明】
１…バッテリ
２…電源制御回路
３…ＢＩＯＳ  ＲＯＭ
１１…ＣＰＵ
１３…ＬＣＤ
１９…センサ
２０…センサ制御回路
２１…出力電極
２２…入力電極
２３…スイッチ回路
２４…発振器
２５…タイミングパルス発生器
２６…検波回路
２７…Ａ／Ｄ変換器
２８…終端抵抗
３１…絶縁体薄膜
３２…絶縁体薄膜
【図１】
0003842434.tif 000002
【図２】
0003842434.tif 000003
【図３】
0003842434.tif 000004
【図４】
0003842434.tif 000005
【図５】
0003842434.tif 000006
【図６】
0003842434.tif 000007
【図７】
0003842434.tif 000008